(57)【特許請求の範囲】
【請求項１】
２種類以上の眼鏡レンズにおける眼鏡レンズ情報を保持する記憶手段１と、前記記憶手段１に記憶された眼鏡レンズ情報を選択する選択手段２と、前記選択手段２により選択された眼鏡レンズ情報を所定の法則により屈折力分布、非点収差分布、プリズム分布及び眼鏡レンズを通して見たときの格子像から選ばれる表示情報に変換する演算手段３と、前記演算手段３により変換された２種類以上の眼鏡レンズの表示情報を同時に比較表示する表示手段４とを備えた眼鏡レンズ情報表示装置。
【請求項２】
２種類以上の眼鏡レンズにおける眼鏡レンズ情報を保持する記憶手段１と、前記記憶手段１に記憶された眼鏡レンズ情報を選択する選択手段２と、前記選択手段２により選択された眼鏡レンズ情報を通信する通信手段５と、前記選択手段２により選択された眼鏡レンズ情報を所定の法則により屈折力分布、非点収差分布、プリズム分布及び眼鏡レンズを通して見たときの格子像から選ばれる表示情報に変換する演算手段３と、前記演算手段３により変換された２種類以上の眼鏡レンズの表示情報を同時に比較表示する表示手段４とを備えた眼鏡レンズ情報表示装置。
【請求項３】
前記記憶手段１に記憶された眼鏡レンズ情報が、累進多焦点レンズの設計基準点から少なくとも半径２０ｍｍ以内の点における円柱屈折力であることを特徴とする請求項１又は２に記載の眼鏡レンズ情報表示装置。
【請求項４】
前記記憶手段１に記憶された眼鏡レンズ情報が、累進多焦点レンズの設計基準点から少なくとも半径２０ｍｍ以内の点における平均屈折力であることを特徴とする請求項１又は２に記載の眼鏡レンズ情報表示装置。
【請求項５】
前記記憶手段１に記憶された眼鏡レンズ情報が、累進多焦点レンズの設計基準点から少なくとも半径２０ｍｍ以内の点における球面屈折力および円柱屈折力であり、前記演算手段３により平均屈折力を算出して表示することを特徴とする請求項１又は２に記載の眼鏡レンズ情報表示装置。
【請求項６】
前記記憶手段１に記憶された眼鏡レンズ情報が、累進多焦点レンズの設計基準点から少なくとも半径２０ｍｍ以内の点におけるプリズム屈折力およびプリズム屈折力の基底方向であることを特徴とする請求項１又は２に記載の眼鏡レンズ情報表示装置。
【請求項７】
２種類以上の眼鏡レンズにおける、累進多焦点レンズの設計基準点から少なくとも半径２０ｍｍ以内の点における円柱屈折力、累進多焦点レンズの設計基準点から少なくとも半径２０ｍｍ以内の点における平均屈折力、累進多焦点レンズの設計基準点から少なくとも半径２０ｍｍ以内の点における球面屈折力および円柱屈折力並びに累進多焦点レンズの設計基準点から少なくとも半径２０ｍｍ以内の点におけるプリズム屈折力およびプリズム屈折力の基底方向から選ばれる１つ以上の眼鏡レンズ情報を保持する記憶手段１に記憶された前記眼鏡レンズ情報を選択する選択手段２により表示手段４の表示位置と前記記憶手段１に記憶されている前記眼鏡レンズ情報の選択情報に基づいて、前記記憶手段１から所定の眼鏡レンズ情報を前記選択手段２により選択された眼鏡レンズ情報を所定の法則により表示情報に変換する演算手段３に送り、前記演算手段３はあらかじめ決められた手順にしたがって前記送られた２種類以上の眼鏡レンズにおける前記眼鏡レンズ情報を前記表示手段４に表示可能な、屈折力分布、非点収差分布、プリズム分布及び眼鏡レンズを通して見たときの格子像から選ばれる表示情報に変換するとともに、前記選択された表示位置情報に基づいて前記表示手段３の同時に表示する２種類以上の眼鏡レンズの表示情報に変換することを特徴とする眼鏡レンズ情報表示方法。
【請求項８】
２種類以上の眼鏡レンズにおける、累進多焦点レンズの設計基準点から少なくとも半径２０ｍｍ以内の点における円柱屈折力、累進多焦点レンズの設計基準点から少なくとも半径２０ｍｍ以内の点における平均屈折力、累進多焦点レンズの設計基準点から少なくとも半径２０ｍｍ以内の点における球面屈折力および円柱屈折力並びに累進多焦点レンズの設計基準点から少なくとも半径２０ｍｍ以内の点におけるプリズム屈折力およびプリズム屈折力の基底方向から選ばれる１つ以上の眼鏡レンズ情報を保持する記憶手段１に記憶された前記眼鏡レンズ情報を選択する選択手段２により表示手段４の表示位置と前記記憶手段１に記憶されている前記眼鏡レンズ情報の選択情報に基づいて、前記記憶手段１から所定の眼鏡レンズ情報を通信手段５を通して眼鏡レンズ情報を所定の法則により表示情報に変換する演算手段３に送り、前記演算手段３はあらかじめ決められた手順にしたがって前記送られた２種類以上の眼鏡レンズにおける眼鏡レンズ情報を前記表示手段４に表示可能な、屈折力分布、非点収差分布、プリズム分布及び眼鏡レンズを通して見たときの格子像から選ばれる表示情報に変換するとともに、前記選択された表示位置情報に基づいて前記表示手段３の同時に表示する２種類以上の眼鏡レンズの表示情報に変換することを特徴とする眼鏡レンズ情報表示方法。
【発明の詳細な説明】
【０００１】
【発明の属する技術分野】
本発明は眼鏡レンズの光学特性、特には累進多焦点レンズの非点収差分布および平均度数分布を容易に比較することを可能にし、眼鏡装用者の生活環境に最適な眼鏡レンズを選択できるようにする。
【０００２】
【従来の技術】
眼鏡レンズの基本光学性能は一般的には、球面屈折力・円柱屈折力・円柱屈折力の方向・プリズム屈折力・プリズム屈折力の方向により規定される。また、多焦点眼鏡レンズおよび累進多焦点眼鏡レンズでは、上記の他に加入度屈折力によっても規定される。しかしながら、上記の項目は眼鏡レンズとしての最低限の光学特性であり、実際の眼鏡レンズではレンズ周辺部の屈折力分布・非点収差分布・プリズム分布等により、眼鏡レンズを通して見たときの像のゆがみやぼけが異なり装用感が違う。
【０００３】
特に累進多焦点レンズでは、製造業者が製品特徴を出すために、レンズ周辺部の屈折力分布・非点収差分布・プリズム分布を独自に設定しているため、他の製品に掛け替える場合などに、眼鏡装用者が違和感を訴えることが多々ある。
【０００４】
これを避けるため、従来は製造業者あるいは販売業者が製品の光学特性について販売店員に印刷物や口頭で説明していた。
【０００５】
【発明が解決しようとする課題】
しかしながら、従来の説明では、ほとんどの場合眼鏡レンズの設計概念の説明であり、光学特性を直接かつ客観的に比較することはできなかった。このため、販売店員は眼鏡装用者に十分な説明を行えず、最適な眼鏡レンズを提供できないばかりか、眼鏡装用者が以前に掛けていた眼鏡レンズと全く装用感の異なる眼鏡レンズを提供し、眼鏡装用者から不満を訴えられることがあった。
【０００６】
【課題を解決するための手段】
様々な眼鏡レンズの光学特性を直接かつ客観的に比較できるようにするため、本発明の眼鏡レンズ情報表示装置は、少なくとも２つ以上の眼鏡レンズ情報を保持する記憶手段１と、前記記憶手段１に記憶された眼鏡レンズ情報を選択する選択手段２と、前記選択手段２により選択された眼鏡レンズ情報を所定の法則により表示情報に変換する演算手段３と、前記演算手段３により変換された表示情報を表示する表示手段４とからなることを特徴とする。
【０００７】
前記表示手段４に少なくとも２つの眼鏡レンズ情報を同時に表示することを特徴とする。
【０００８】
前記記憶手段１に記憶された眼鏡レンズ情報が、累進多焦点レンズの設計基準点から少なくとも半径２０ｍｍ以内の点における円柱屈折力であることを特徴とする。
【０００９】
前記記憶手段１に記憶された眼鏡レンズ情報が、累進多焦点レンズの設計基準点から少なくとも半径２０ｍｍ以内の点における平均屈折力であることを特徴とする。
【００１０】
前記記憶手段１に記憶された眼鏡レンズ情報が、累進多焦点レンズの設計基準点から少なくとも半径２０ｍｍ以内の点における球面屈折力および円柱屈折力であり、前記演算手段３により平均屈折力を算出して表示することを特徴とする。
【００１１】
前記記憶手段１に記憶された眼鏡レンズ情報が、累進多焦点レンズの設計基準点から少なくとも半径２０ｍｍ以内の点におけるプリズム屈折力およびプリズム屈折力の基底方向であり、前記演算手段３により仮想物体の透視像を算出して表示することを特徴とする。
【００１２】
少なくとも２つ以上の眼鏡レンズ情報を保持する記憶手段１と、前記記憶手段１に記憶された眼鏡レンズ情報を選択する選択手段２と、前記選択手段２により選択された眼鏡レンズ情報を所定の法則により表示情報に変換する演算手段３と、前記演算手段３により変換された表示情報を表示する表示手段４とからなる眼鏡レンズ情報表示装置において、前記選択手段２により前記表示手段４の表示位置と前記記憶手段１に記憶されている眼鏡レンズ情報の選択情報に基づいて、前記記憶手段１から所定の眼鏡レンズ情報を前記演算手段３に送り、前記演算手段３はあらかじめ決められた手順にしたがって前記送られた眼鏡レンズ情報を前記表示手段４に表示可能な情報に変換するとともに、前記選択された表示位置情報に基づいて前記表示手段３の表示情報に変換することを特徴とする。
【００１３】
少なくとも２つ以上の眼鏡レンズ情報を保持する記憶手段１と、前記記憶手段１に記憶された眼鏡レンズ情報を選択する選択手段２と、前記選択手段２により選択された眼鏡レンズ情報を通信する通信手段５と、前記通信された眼鏡レンズ情報を所定の法則により表示情報に変換する演算手段３と、前記演算手段３により変換された表示情報を表示する表示手段４とからなる眼鏡レンズ情報表示装置において、前記選択手段２により前記表示手段４の表示位置と前記記憶手段１に記憶されている眼鏡レンズ情報の選択情報に基づいて、前記記憶手段１から所定の眼鏡レンズ情報を前記通信手段５を通して前記演算手段３に送り、前記演算手段３はあらかじめ決められた手順にしたがって前記送られた眼鏡レンズ情報を前記表示手段４に表示可能な情報に変換するとともに、前記選択された表示位置情報に基づいて前記表示手段３の表示情報に変換することを特徴とする。
【００１４】
【作用】
本発明は、眼鏡レンズ特には累進多焦点レンズの屈折力分布・非点収差分布・プリズム分布等の光学特性を、容易にかつ客観的に表示し、異なる眼鏡レンズの光学特性を直接比較できるため、眼鏡装用者に最適な眼鏡レンズを選択させることができる。
【００１５】
【発明の実施の形態】
図１は本発明の眼鏡レンズ情報表示装置の構成図である。
本装置の操作者は、選択手段２により記憶手段１に記憶されている眼鏡レンズ情報の中から、表示したい情報を選択する。選択された情報は記憶手段１から演算手段３へ送られ、演算手段３により表示情報に変換された後、表示手段４へ送られる。
【００１６】
以下では、本発明の具体的な形態を説明する。
【００１７】
（実施例１）
本実施例では、記憶手段１としてハードディスク、選択手段２としてキーボード、表示手段４としてカラーディスプレーを備えた、パーソナルコンピューターを使用した。この場合、演算装置３にはコンピューターの中央演算装置を使うことができる。
【００１８】
ハードディスクには、数種類の累進多焦点レンズについて、図２に示すような設計基準点Ｏを中心に、上下左右３ｍｍ間隔の格子点上の球面屈折力（Ｓ）・円柱屈折力（Ｃ）・円柱屈折力の方向（ＡＸ）の測定情報が記憶されている。なお、本実施例では累進多焦点レンズの設計基準点Ｏを、レンズに刻印されている２つのレイアウトマークの中点に設定し、数種類の累進多焦点レンズが同一条件で比較できるようにした。
【００１９】
ハードディスクに記憶されている情報はそれぞれ固有の識別名が付けられ、上記測定情報の他にレンズ名や度数・加入度といった、レンズの基本情報も記憶して有る。
【００２０】
本装置の操作者は、図３のようにカラーディスプレーに表示された、選択画面から、左右に分割されたカラーディスプレー表示領域（３１および３２）のどちらにに表示するか選択する。次に、カラーディスプレーの表示は図４に示すレンズ選択画面に変わり、操作者はレンズの基本情報を見ながら、表示したい眼鏡レンズを、キーボードを使って選択する。コンピューターの中央演算装置は、操作者の選択に従って、対応する情報をハードディスクから読み込む。また、操作者は表示したい情報が平均屈折力分布図なのか非点収差分布図なのかをキーボードから選択でき、中央演算装置はこの選択により、読み込んだ眼鏡レンズ情報を加工する。
【００２１】
平均屈折力分布図が選択された場合は、中央演算装置は各点の球面屈折力（Ｓ）と円柱屈折力（Ｃ）から平均屈折力（Ｄ＝Ｓ＋Ｃ／２）を計算し、１ｍｍ間隔の格子上の平均屈折力を補間計算する。さらに、計算された平均屈折力は、設計基準点Ｏを中心とした（Ｘ，Ｙ，Ｄ）座標上の点と対応され、表示用の２次元座標（Ｘ’，Ｙ’）に変換するため、所定の座標演算が行われる。さらに、操作者が選択したカラーディスプレーの表示領域に応じて、カラーディスプレー上の座標に変換され、カラーディスプレーに送られる。
【００２２】
カラーディスプレーは、計算された平均屈折力（Ｄ）を、その大きさに応じて色分けして平均屈折力の分布図を表示する。
【００２３】
また、操作者が非点収差分布図を選択した場合は、上記平均屈折力（Ｄ）の代わりに円柱屈折力（Ｃ）を用いて、同様の演算および表示を行う。
【００２４】
さらに操作者は、カラーディスプレーの別の表示領域に表示するレンズ情報を、上記と同様に選択することにより、図５のようにカラーディスプレーの同一画面に２種類の眼鏡レンズが表示されるので、レンズの光学特性の違いを比較できる。
【００２５】
（実施例２）
本実施例では、記憶手段１・選択手段２・演算手段３・表示手段４はともに実施例１と同じものを使用する。
【００２６】
本実施例では、ハードディスクに記憶されているのは、３ｍｍ間隔の格子点におけるプリズム屈折力（Ｐ）とプリズム屈折力の基底方向（Ｂ）である。実施例１と同じように、表示領域および表示レンズを選択すると、中央演算装置は各格子点のプリズム屈折力（Ｐ）とその基底方向（Ｂ）により、架空の格子図形が選択された眼鏡レンズを通して見たときどのように見えるか演算する。
【００２７】
図６はこの演算を行うための、基本概念図である。架空の格子図形Ａ上の任意の点ａから発せられた光は、眼鏡レンズＬに入射した後、レンズ上の対応する位置のプリズム屈折力（Ｐ）およびその基底方向（Ｂ）により、一般的な屈折の法則にしたがって屈折され、眼球Ｅに入射する。この光線の経路を図６では実線で表してある。眼鏡装用者には、格子点ａは眼鏡レンズＬからの入射光線の延長上の点ａ’の位置に見える。各格子点について見える位置を計算すると、眼鏡レンズを通して見たときの格子像Ａ’が計算できる。
【００２８】
このように計算された格子像Ａ’を、図７のように２種類のレンズについて表示することにより、眼鏡レンズを掛けたときの像のゆがみを比較でき、眼鏡装用者に最適なレンズを選択できる。
【００２９】
（実施例３）
図８に本実施例の構成図を示す。
記憶手段１は遠隔地にある大型コンピューターの記憶装置であり、演算手段３と通信手段５を介して接続されている。選択手段２により選択された情報は、記憶手段１から通信手段５を介して演算手段３に送られ、必要な演算がほどこされてから、表示手段４に送られ表示される。
【００３０】
以上３つの実施例を説明したが、実施例１では平均屈折力をあらかじめ計算しておいて、記憶手段１に記憶させておくことにより、演算手段３の負荷を減らすことができる。演算手段３の処理能力が低い場合は、この方法により表示時間を短縮し、操作性を向上することができる。
【００３１】
また、実施例２でもあらかじめ格子像Ａ’を計算しておくことにより、演算手段３の負荷を減らすことができる。
【００３２】
さらに、本実施例では測定位置を３ｍｍ間隔の格子上の点としたが、間隔を小さくして測定点数を増やせば、演算手段３で補間演算する必要がなくなるとともに、より精度の高い表示が可能である。
【００３３】
本実施例では、設計基準点Ｏから半径２７ｍｍの範囲の測定値を使っているが、最低でも半径２０ｍｍの範囲の測定値または設計値が必要である。これより狭い範囲の比較では、眼鏡枠に枠入れしたときの視野と違いが生じる。また、累進多焦点レンズでは、近用部が範囲外となり十分な比較ができなくなる。
【００３４】
【発明の効果】
本発明の眼鏡レンズ情報表示装置を使えば、２種類以上の眼鏡レンズの光学特性を客観的に比較できる。このため、眼鏡装用者が新しい眼鏡を購入する際、それまで掛けていた眼鏡レンズの光学特性と、これから購入しようとしている眼鏡レンズの光学性能とを比較することにより、掛け替え時の違和感を予測でき、場合によってはもっと違和感の少ない眼鏡レンズを選択することができる。
【図面の簡単な説明】
【図１】本発明の眼鏡レンズ情報表示装置の構成図。
【図２】眼鏡レンズ上の屈折力測定位置を示す格子図。
【図３】本発明の眼鏡レンズ情報表示装置の表示画面の外観図。
【図４】本発明の眼鏡レンズ情報表示装置のレンズ選択画面の外観図。
【図５】本発明の眼鏡レンズ情報表示装置の非点収差表示画面の外観図。
【図６】格子のゆがみを計算する概念図。
【図７】本発明の眼鏡レンズ情報表示装置のゆがみ表示画面の外観図。
【図８】本発明の眼鏡レンズ情報表示装置の構成図。
【符号の説明】
Ｌ・・・・・眼鏡レンズ
Ｏ・・・・・眼鏡レンズの設計基準点
Ｅ・・・・・眼球
Ａ・・・・・仮想の格子
Ａ’・・・・仮想の格子の像
ａ・・・・・仮想の格子上の点
ａ’・・・・仮想の格子上の点の像
３１・・・・左レンズ表示領域
３２・・・・右レンズ表示領域
【図１】
0003603412.tif 000002
【図２】
0003603412.tif 000003
【図３】
0003603412.tif 000004
【図４】
0003603412.tif 000005
【図５】
0003603412.tif 000006
【図６】
0003603412.tif 000007
【図７】
0003603412.tif 000008
【図８】
0003603412.tif 000009